(57)【要約】【課題】どのような場所にあっても少ない手間と短い時間で草刈り後の処理ができる草刈り機を提供することを目的とする。【解決手段】本考案は、上刃板１１と下刃板１２とを上下摺り合わせ状態に重合し、上刃板１１と下刃板１２とを左右スライド自在にし、上刃板１１と下刃板１２とを収納するケース１４から上刃１５と下刃１６とを突設した状態で設け、駆動機構により上刃１５または下刃１６を駆動させることにより草を挟み込んで草刈りする草刈機において、草刈機１に、刈った草木を掻き集めるガイド板１３を備えたものである。これにより、草木を刈りながら刈った草木を掻き集めることができるので、後はガイド板１３に残っている草木を処理するだけでよく、少ない手間と短い時間で簡単に草刈り後の処理ができる。【選択図】　図１
0003098581.tif 000002
【実用新案登録請求の範囲】
【請求項１】
上刃板と下刃板とを上下摺り合わせた状態に重合し、前記上刃板または下刃板を左右スライド自在にし、前記上刃板と下刃板とを収納するケースから上刃と下刃とを突設した状態で設け、駆動機構により上刃または下刃を運動させて草木を挟み込んで草刈りする草刈機において、
前記草刈機に、刈った草木を掻き集めるガイド板を備えたことを特徴とする草刈機。
【請求項２】
前記草刈機は角度を調整できる角度調整機構を備えることを特徴とする請求項１に記載の草刈機。
【考案の詳細な説明】
【０００１】
【考案の属する技術分野】
本考案は草刈機の草を刈る部分の構造に関し、特にバリカン式草刈機に使用するものである。
【０００２】
【従来の技術】
従来、草刈り機は、外観を良くするために、草木を刈ったり揃えたりするときに使用されている。最もよく知られている草刈り機には回転式草刈機がある。回転式草刈機は、円形の鉄板の外縁に刃を施し（以下、円板刃）、草刈機に備えられている駆動機構により円板刃を水平に高速回転させて草木を刈ったり揃えたりするものである。しかし、円板刃を高速回転させて刈られる草木は勢いよく飛散し、草刈後の処理には手間がかかるものである。
【０００３】
そこで、回転式草刈機の改良したものとして、円板刃を上下に２枚摺り合わせた状態で設けた草刈機がある。これは上下２枚の円板刃のうち１枚は回転（以下、回転刃）させ、残りの１枚は固定させて（以下、固定刃）、草刈り機に備えられている駆動機構により回転刃と固定刃で草を挟み込んで草刈りするものである。回転刃と固定刃とを備えた草刈機は、円板刃を高速回転させるだけの上記草刈機よりも草が勢いよく飛散するのを抑制することができる。しかし、上記回転式草刈機は円板刃なので、草を刈ったり揃えたりする場所が角である場所には使用できず、使用許容範囲に制限がある。
【０００４】
他にも、草刈り機にはバリカン式草刈り機がある。バリカン式草刈機は、上刃板と下刃板とを上下に摺り合わせた状態に重合し、上刃板または下刃板を左右スライド自在にし、上刃板と下刃板とを収納するケースから上刃と下刃とを突設した状態で設けたものである。ここでは、左右スライド自在にする刃板をスライド刃、固定する刃を固定刃ということにする。上刃板及び下刃板をスライド刃としてもよいし、どちらかを固定刃としてもよい。そして草刈機に備えられている駆動機構により上刃または下刃を水平にスライド運動させることにより草を挟み込んで草刈りする。挟み込んで草刈りするという点では上記回転刃と固定刃とを備えた回転式草刈機と同様なので、草が勢いよく飛散するのを抑制することができる。バリカン式草刈機は回転式草刈り機とは異なり、草を刈たり揃えたりする場所が角であっても使用でき、使用許容範囲が広い。
【０００５】
【考案が解決しようとする課題】
上記バリカン式草刈機や改良した回転式草刈機は、草木を挟み込んで草刈りすることにより、草木の飛散を抑制することはできるが、草木を刈ったり揃えたりした後の処理は別の処理用具で行う必要がある。つまり、草刈機を使用した後に行う草の処理は草刈機を使用する上でセットであり、上記バリカン式草刈機や改良した回転式草刈機を使用した後は、刈ったり揃えたりするときに散乱する草木をホウキや汚物挟み器等の処理用具により掻き集め、これをゴミ収集袋に入れて処理している。このため、草刈り後の処理には手間と時間がかかるという問題がある。また、草木を刈ったり揃えたりするのが困難な場所で上記草刈機を使用する場合は、使用者は無理な体勢を取ることにより、草刈りすることができるが、そのような場所で草刈りした後の散乱した草木の処理には手間と時間が大変かかるという問題がある。
【０００６】
本考案は、上記問題に鑑み、どのような場所にあっても少ない手間と短い時間で草刈り後の処理ができる草刈り機を提供することを目的とする。
【０００７】
【課題を解決するための手段】
本考案の請求項１に記載の草刈機は、上刃板と下刃板とを上下摺り合わせ状態に重合し、上刃板と下刃板とを左右スライド自在にし、上刃板と下刃板とを収納するケースから上刃と下刃とを突設した状態で設け、駆動機構により上刃または下刃を駆動させることにより草を挟み込んで草刈りする草刈機において、草刈機に、刈った草木を掻き集めるガイド板を備えたものである。これにより、草刈りする際の草木の飛散を受け止め、草刈りした草木を掻き集めるガイド板を備えているので、草刈り後の草木の処理はガイド板により掻き集められている草木を処理するだけでよく、少ない手間と短い時間で簡単に草刈り後の処理ができる。
【０００８】
本考案の請求項２に記載の草刈機は、請求項１に記載の草刈機に角度を調整できる角度調整機構を備えるものである。角度を調整できる角度調整機構を備えており、草刈機の角度を調整することができるので、草木を刈ったり揃えたりするのが困難な場所であっても簡単に草刈りができ、また、そのような場所で刈られる草木もガイド板により掻き集められていくので、草刈り後の草木の処理はガイド板により掻き集められている草木を処理するだけでよく、少ない手間と短い時間で簡単に草刈り後の処理ができる。
【０００９】
【考案の実施の形態】
以下、図面を用いて本考案の一実施の形態を説明する。図１乃至３に示すように、本考案は草刈機１の草木を刈る部分の構造であり、その部分の主な構成は、上刃板１１、下刃板１２、ガイド板１３、ケース１４、及び角度調整機構３０がある。
【００１０】
上刃板１１及び下刃板１２は上下に摺り合わせた状態に重合し、左右スライド自在にし、上刃板１１と下刃板１２を収納するケース１４から上刃１５と下刃１６とを突設した状態で設けたものである。ここでは上刃板１１は固定される固定刃板とし、下刃板１２をスライドされるスライド刃板としており、上刃板１１にはボルト１７を貫通させるボルト穴１８を形成し、下刃板１２にはスライドさせるためのスライド穴１９を形成している。スライド穴１９にもボルト１７を貫通させる。なお、上刃板１１をスライド刃板として下刃板１２を固定刃板としてもよく、また、上下刃板１１，１２の両方をスライド刃板としてもよい。なお、ケース１４にもボルト１７を貫通させるボルト穴２０を形成している。
【００１１】
草刈機１における草を刈る部分の他端には、駆動機構（図示しない）が設けられており、使用者が駆動機構を駆動することにより、下刃板１２が駆動され、これにより、下刃１６を水平にスライド運動して上刃１５と下刃１６で草を挟み込んで草刈りする。
【００１２】
ガイド板１３は、上刃１５と下刃１６で刈った草木を掻き集めるものであり、飛散する草木を受け止める。本実施の形態ではスライド刃と固定刃とで挟み込んで草刈りする態様を取っており、草木の飛散を抑制しながら、刈った草木をガイド板１３で掻き集める。一方、上下刃板の両方をスライド刃板とする場合には、草木が勢いよく飛散してしまうが、ガイド板１３が飛散する草木を受け止めながら、草木を掻き集めることができる。また、ガイド板１３にはボルトを貫通させるボルト穴２１を形成している。ボルト穴２０，１８、スライド穴１９、ボルト穴２１は同一直線状に設けられており、ボルト１７をボルト穴２０，１８、スライド穴１９、ボルト穴２１に貫通させて、ワッシャー２２、ナット２３により固定することにより、図２に示すようなものになる。
【００１３】
また、本考案の草刈機には角度調整機構３０を備えている（図３参照）。これは従来、草木を刈ったり揃えたりするのが困難な場所で草刈機１を使用するには使用者が体勢を変えないと刈ることができなかったが、本考案では角度調整機構３０を備えているので、そのような場所にあっても、簡単に刈れるように角度を調整することで、使用者が体勢を変えずに簡単に草木を刈ったり揃えたりすることができる。
【００１４】
以上のように構成された草刈機１の使用例について説明する。使用者は草木を刈ったり揃えたりする場所において、自分が刈り易い体勢で刈れるように角度調整機構３０を用いて角度を調整する。そして、使用者が駆動機構（図示しない）を駆動することにより、スライド刃板である下刃板１２が水平にスライド運動し、上刃板１１と下刃板１２とで草を挟み込んで草刈りする。挟み込んで刈るので、草木はそれほど飛散することはない。前方に飛散する草木はあとで刈られる草木と一緒にガイド板１３で掻き集められ、一方、後方に飛散する草木はガイド板１３で受け止められて掻き集められるので、草刈機によって刈られた草木があちこちに散乱するようなことはない。草刈り後の草木の処理はガイド板１３により掻き集められている草木を処理するだけでよく、少ない手間と短い時間で簡単に草刈り後の処理ができる。
【００１５】
【考案の効果】
以上、本考案の草刈機によれば、草刈りする際の草木の飛散を受け止め、草刈りした草木を掻き集めるガイド板を備えているので、草刈り後の草木の処理はガイド板により掻き集められている草木を処理するだけでよく、少ない手間と短い時間で簡単に草刈り後の処理ができる。
【００１６】
また、本考案の草刈機には、角度を調整できる角度調整機構を備えており、草刈機の角度を調整することができるので、草木を刈ったり揃えたりするのが困難な場所であっても簡単に草刈りができ、また、そのような場所で刈られる草木もガイド板により掻き集められていくので、草刈り後の草木の処理はガイド板により掻き集められている草木を処理するだけでよく、少ない手間と短い時間で簡単に草刈り後の処理ができる。本考案の草刈機は、従来の草刈機よりも、使用許容範囲を格段に広げることができる。
【図面の簡単な説明】
【図１】本考案の一実施の形態で用いる草刈機の草を刈る部分の各構造を示す斜視図
【図２】本考案の一実施の形態で用いる草刈機の草を刈る部分の構造を示す斜視図
【図３】本考案の一実施の形態で用いる草刈機の角度調整機構を示す図
【符号の説明】
１　草刈機
１１　上刃板
１２　下刃板
１３　ガイド板
１４　ケース
１５　上刃
１６　下刃
１７　ボルト
１８　ボルト穴
１９　スライド穴
２０　ボルト穴
２１　ボルト穴
２２　ワッシャー
２３　ナット
３０　角度調整機構
【図１】
0003098581.tif 000003
【図２】
0003098581.tif 000004
【図３】
0003098581.tif 000005